(57)【要約】      （修正有）【課題】作業効率を犠牲にせずに、誰に対しても温かいおしぼりをサービスできるおしぼり運搬カートを提供する。【解決手段】キャスター２５を備えたカート本体３の搭載部に、ヒーター付きおしぼり収容庫と電源部とが搭載されている。電源部は、商用電源系統との接続用の差込みプラグを備え、ヒーターに給電する商用電源給電ラインと、バッテリーを備えヒーターに給電するバッテリー給電ラインとを備えている。カートを移動させるときに、プラグをコンセントから抜いて商用電源の給電が停止したときにはバッテリーから給電されるので、移動中も収容庫の収容室２９に収容されたおしぼりＴは適温に保持される。【選択図】図５
0003188322.tif 000002
【実用新案登録請求の範囲】
【請求項１】
キャスターを備えたカート本体の搭載部に、ヒーター付きおしぼり収容庫と電源部とが搭載されており、
前記電源部は、商用電源系統との接続用の差込みプラグを備え、前記ヒーターに給電する商用電源給電ラインと、バッテリーを備え、前記ヒーターに給電するバッテリー給電ラインと、商用電源の給電が停止したときに前記バッテリー給電ラインからの給電を可能とする電源切替部と、前記商用電源給電ラインに割り込み接続され、商用電源を用いて前記バッテリーを充電する充電ラインとで構成されていることを特徴とするおしぼり運搬カート。
【請求項２】
請求項１に記載したおしぼり運搬カートにおいて、
入り切りタイマーを備え、前記入り切りタイマーの入りでヒーターへの給電が開始され、切りで給電が停止することを特徴とするおしぼり運搬カート。
【請求項３】
請求項２に記載したおしぼり運搬カートにおいて、
電源切替部として、入り切りタイマーの入りで商用電源給電ラインをヒーターと繋げ、切りでバッテリー給電ラインとヒーターを繋げるリレースイッチと、前記バッテリー給電ラインから前記ヒーターへの電源供給を制御するコントローラとを備え、給電ラインの切替と共に、前記商用電源給電ラインからヒーターへの給電をタイマーで制御する構成にして、電源の切替と給電のタイマー制御を可能にしたことを特徴とするおしぼり運搬カート。
【請求項４】
請求項１から３のいずれかに記載したおしぼり運搬カートにおいて、
搭載部にはカゴが取り付けられており、そのカゴに使用済おしぼりの回収ボックスが搭載可能になっていることを特徴とするおしぼり運搬カート。
【請求項５】
請求項４に記載したおしぼり運搬カートにおいて、
搭載部には、フックが取り付けられており、そのフックにおしぼりの包装袋の回収袋が吊下げ可能になっていることを特徴とするおしぼり運搬カート。
【考案の詳細な説明】
【技術分野】
【０００１】
本考案は、おしぼりを保温しながら運搬できるおしぼり運搬カートに関するものである。
【背景技術】
【０００２】
病院、介護施設等では、おしぼりを温めて患者等に提供するサービスが行われているが、従来は、特許文献１に示すような温蔵庫におしぼりを入れて温めておき、サービス時におしぼりを取り出して患者等の元に運んでいた。
【先行技術文献】
【特許文献】
【０００３】
【特許文献１】特開２００２−１６５７０６号公報
【考案の概要】
【考案が解決しようとする課題】
【０００４】
しかしながら、作業効率を考慮して、カート等に一度に沢山のおしぼりを積み、複数の部屋に分かれた患者等の元に順次運んでいたので、最後の方でおしぼりを提供するときには、既に冷めてしまっている場合が多い。
【０００５】
本考案は、上記従来の問題点に着目して為されたものであり、作業効率を犠牲にせずに、誰に対しても温かいおしぼりをサービスできるものを提供することを、その目的とする。
【課題を解決するための手段】
【０００６】
本考案は上記課題を解決するためになされたものであり、請求項１の考案は、キャスターを備えたカート本体の搭載部に、ヒーター付きおしぼり収容庫と電源部とが搭載されており、前記電源部は、商用電源系統との接続用の差込みプラグを備え、前記ヒーターに給電する商用電源給電ラインと、バッテリーを備え、前記ヒーターに給電するバッテリー給電ラインと、商用電源の給電が停止したときに前記バッテリー給電ラインからの給電を可能とする電源切替部と、前記商用電源給電ラインに割り込み接続され、商用電源を用いて前記バッテリーを充電する充電ラインとで構成されていることを特徴とするおしぼり運搬カートである。
【０００７】
請求項２の考案は、請求項１に記載したおしぼり運搬カートにおいて、入り切りタイマーを備え、前記入り切りタイマーの入りでヒーターへの給電が開始され、切りで給電が停止することを特徴とするおしぼり運搬カートである。
【０００８】
請求項３の考案は、請求項２に記載したおしぼり運搬カートにおいて、電源切替部として、入り切りタイマーの入りで商用電源給電ラインをヒーターと繋げ、切りでバッテリー給電ラインとヒーターを繋げるリレースイッチと、前記バッテリー給電ラインから前記ヒーターへの電源供給を制御するコントローラとを備え、給電ラインの切替と共に、前記商用電源給電ラインからヒーターへの給電をタイマーで制御する構成にして、電源の切替と給電のタイマー制御を可能にしたことを特徴とするおしぼり運搬カートである。
【０００９】
請求項４の考案は、請求項１から３のいずれかに記載したおしぼり運搬カートにおいて、搭載部にはカゴが取り付けられており、そのカゴに使用済おしぼりの回収ボックスが搭載可能になっていることを特徴とするおしぼり運搬カートである。
【００１０】
請求項５の考案は、請求項４に記載したおしぼり運搬カートにおいて、搭載部には、フックが取り付けられており、そのフックにおしぼりの包装袋の回収袋が吊下げ可能になっていることを特徴とするおしぼり運搬カートである。
【考案の効果】
【００１１】
本考案のおしぼり運搬カートによれば、作業効率を犠牲にせずに、誰に対しても温かいおしぼりを提供できる。
【図面の簡単な説明】
【００１２】
【図１】本考案の実施の形態に係るおしぼり運搬カートの斜視図である。
【図２】図１のおしぼり運搬カートの正面図である。
【図３】図１のおしぼり運搬カートの側面図である。
【図４】図１のおしぼり運搬カートに搭載されたおしぼり収容庫のヒーターと電源部との電気的結線図である。
【図５】図１のおしぼり運搬カートの使用状態の説明図である。
【考案を実施するための形態】
【００１３】
本考案の実施の形態に係るおしぼり運搬カート１について、図面にしたがって説明する。
図１〜図３で、符号３はカート本体を示し、このカート本体３の矩形のベースプレート５の左右両側部には一対の側板柱７、７が互いに対向するように背面寄りに立設されている。
一対の側板柱７、７に取付け支持されて、ベースプレート５に平行に、中段には棚板９、１１が配設され、上側には天板１３が配設されている。棚板９、１１および天板１３はベースプレート５と同じような寸法をしているので、側板柱７より正面側に突き出ている。
ベースプレート５の背面側の縁には、塞ぐように低いガイドプレート１５（図３）が取付けられ、下側の棚板９と天板１３には、正面以外の縁側に脱落防止ガード１７が取付けられている。
【００１４】
符号１９は背面側取っ手バーを示し、一対の側板柱７、７に背面側で架け渡されており、屈曲した両端部が一対の側面柱７、７の外面に固定されている。また、符号２１は横側取っ手バーを示し、屈曲した一端部が側板柱７の外面に固定されている。他端側は正面方向に側板柱７を超えて張り出している。横側取っ手バー２１は２本用意されており、それぞれ側板柱７に固定されている。取っ手バー１９、２１、２１はいずれもある程度高い位置で水平バーとなるように取り付けられており、おしぼり運搬カート１を動かすときの取っ手としての役目を担っている。
【００１５】
また、各側板柱７の外面側には、フレームを組み合わせて構成したカゴ２３が取付けられている。このカゴ２３は、矩形の箱状を成し、上側と正面側が取付け用に開口している。カゴ２３はベースプレート５と側板柱７に固定されており、上側開口は上記した横側取っ手バー２１よりも下方に位置し、正面側開口はベースプレート５の前端よりも後退している。
カゴ２３には、回収ボックス（Ｂ）を載置できるようになっている。
【００１６】
上記した構成のカート本体３のベースプレート５の底面の四隅にキャスター２５が取り付けられている。
従って、取っ手バー１９、２１を手で掴んで押せば、キャスター２５の車輪が回転しながら方向を変換して押した方向にカート本体３を動かすことができるようになっている。
搭載部は、棚板９、１１と天板１３とで構成されている。
棚板１１の背面側と、天板１３の側面側には、フック（Ｆ）が複数固定されており、そのフック（Ｆ）には持ち手付きのビニール袋（Ｖ）等を吊下げることができる。
【００１７】
符号２７はおしぼり収容庫を示し、このおしぼり収容庫２７は、棚板１１に載置されている。
おしぼり収容庫２７の収容室２９（図５）は上下二段に分かれており、各収容室２９の正面開口を閉塞するために正面にヒンジ連結された扉３１が設けられている。従って、扉３１の引手３３を手前に引けば、扉３１が開いて収容室２９が開放される。
おしぼり収容庫２７にはヒーター３５（図４）が取り付けられており、このヒーター３５の作動により、おしぼり収容庫２７内が温められるようになっている。
【００１８】
符号３７は、電源部の筐体を示し、この筐体３７はベースプレート５に載置されている。
筐体３７の正面は操作面になっており、電源スイッチ３９やタイマー設定部４１が配置されている。
図３に示すように、この筐体３７の背面側開口からはコード４３が引き出されている。このコード４３の先端にはプラグ４５が取り付けられている。プラグ４５が商用電源のコンセント（Ｃ）に差し込まれると、商用電源系統と接続されることになる。
【００１９】
コード４３は使用しないときには、仮想線で示すように、背面側のガイドプレート１５と筐体３７との隙間にまとめて入れておくことができるようになっている。
また、ケーブル４７（図４）も引き出されているが、これはおしぼり収容庫２７に入り込んでヒーター３５と接続されている。
【００２０】
筐体３７内で構成されている電源部４９とヒーター３５とは、図４に示す電気的結線関係にある。なお、視認の便宜のために、ヒーター３５への給電ラインも二相ではなく、単線で示している。
電源部４９内のメイン電源ライン５１は、商用電源側はコード４３として引き出され、ヒーター接続側はケーブル４７として引き出されている。
メイン電源ライン５１には、サブ電源ライン５３の入力側が接続されている。このサブ電源ライン５３にはバッテリー５５が介装されており、このバッテリー５５への入力段側には充電器５７が、出力段側にはＤＣ／ＡＣコンバータ５９がそれぞれ接続されている。
【００２１】
符号６１はリレースイッチを示す。このリレースイッチ６１はｃ接点タイプになっており、この二つの入力端子はメイン電源ライン５１とサブ電源ライン５３にそれぞれ接続されている。一方、共通の出力端子はケーブル４７に接続されている。従って、リレースイッチ６１を介して、メイン電源ライン５１とサブ電源ライン５３は択一的にケーブル４７と繋がる。
符号６３は入り切りタイマーを示し、上記したタイマー設定部４１を備えている。この入り切りタイマー６３はメイン電源ライン５１から分岐して回路が構成されており、リレースイッチ６１の作動信号を出力する。タイマーの入りで、メイン電源ライン５１とケーブル４７とが繋がり、タイマーの切りで、サブ電源ライン５３とケーブル４７とを繋げる。
【００２２】
符号６５はコントローラであり、マイクロコンピュータ等で構成されている。このコントローラ６５は、バッテリー５５から電源供給を受けて駆動して、ＤＣ／ＡＣコンバータ５９をＯＮ／ＯＦＦ制御する。コントローラ６５には、メイン電源ライン５１からの信号が入力されるとＯＮするリレースイッチ６７が介装された監視ライン６９が繋がっており、商用電源がメイン電源ライン５１に供給されているときには、ＤＣ／ＡＣコンバータ５９をＯＦＦにする。
【００２３】
筐体３７の正面に配置された電源スイッチ３９は、コントローラ６５の駆動回路に介装されており、この電源スイッチ３９の押下によりコントローラ６５が駆動を開始する。
【００２４】
上記したように、電気的結線がなされており、プラグ４５がコンセントＣに差し込まれ、電源スイッチ３９が押下されると、メイン電源ライン５１が給電ラインとして利用され、商用電源がリレースイッチ６１の入力端側まで供給される。
そして、入り切りタイマー６３が計時して入り時間がくると、ヒーター３５側と繋がり、ヒーター３５に給電され、切り時間がくると、断線され給電が停止する。
商用電源の供給により、ヒーター３５が作動して収容室２９内が温められる。
なお、入り切りタイマー６３が切りのときは、サブ電源ライン５３がリレースイッチ６１を介してヒーター３５側と繋がっているが、ＤＣ／ＡＣコンバータ５９はＯＦＦになっているので、バッテリー電源が供給されることはない。
【００２５】
また、上記と並行して、充電器５７からバッテリー５５に繋がる充電ラインに商用電源を供給される。すなわち、商用電源はサブ電源ライン５３にも供給されて、バッテリー５５が充電される。コントローラ６５は充電器５７と信号ラインが繋がっており、充電状態（充電完了、充電中）が信号ラインを介して報知されると、その充電状態に応じて筐体３７の正面のランプが点灯するようになっている。
【００２６】
プラグ４５がコンセントＣから抜かれると、上記した商用電源の給電ラインは分断されるが、リレースイッチ６１を介してサブ電源ライン５３がヒーター３５側と繋がる。また、コントローラ６５は、ＤＣ／ＡＣコンバータ５９をＯＮにする。
従って、バッテリー電源の供給により、ヒーター３５がそのまま作動し続けるので、収容室２９内が継続して温められる。
【００２７】
以上のように、商用電源の給電ラインとバッテリー電源の給電ラインが併存しているので、収容室２９は商用電源だけでなく、バッテリー電源も利用して継続して温めることができるようになっている。
【００２８】
次に、上記した構成のおしぼり運搬カート１の使用方法について、図５にしたがって説明する。
おしぼり収容庫２７の収容室２９に、個装袋（Ｐ）で１つずつ包装したおしぼり（Ｔ）をまとめて入れておき、プラグ４５をコンセント（Ｃ）に差し込み、タイマー設定部４１でタイマー入り切り時間を設定すると共に、電源スイッチ３９をＯＮにする。
これにより、夜中の入り時間にヒーター３５が作動を開始して、朝のおしぼり（Ｔ）のサービス時には適温に温まっている。タイマー機能を利用することで、電源は一晩中入っていることは無くなるので、無駄に消費することはない。
【００２９】
また、おしぼり運搬カート１を動かして患者等の元に向かう際には、プラグ４５をコンセント（Ｃ）から抜くが、商用電源に代わって、商用電源の供給中に充電されたバッテリー電源が供給され、ヒーター３５が引き続き作動して、おしぼり（Ｔ）が温められている。
従って、最後の方の患者等にも収容室２９から温かいおしぼり（Ｔ）を取り出して提供することができる。
【００３０】
おしぼり（Ｔ）は個装袋（Ｐ）に個装されており、開封した後の個装袋（Ｐ）はゴミとなるが、フック（Ｆ）に吊下げたビニール袋（Ｖ）に入れることで回収できる。また、使用済みのおしぼり（Ｔ）も回収ボックス（Ｂ）に入れて回収できる。
【００３１】
タイマーの切り時間も設定しており、プラグ４５をコンセント（Ｃ）に差しっぱなしでも、切り時間がくれば切れる。
従って、普段の繰り返し作業では、朝の移動時にプラグ４５をコンセント（Ｃ）から抜いてから、おしぼり運搬カート１を動かしておしぼり（Ｔ）の提供サービスを行い、その後は元の場所に戻して、おしぼり（Ｔ）を収容室２９に補充し、プラグ４５をコンセント（Ｃ）に差し込むだけで済む。
また、棚板９や天板１３には、脱落防止ガード１７が設けられて載置台として使用できるようになっているので、おしぼり以外のものもこれらに載せて一緒に運搬することで運搬効率を上げることができる。
【００３２】
以上、本考案の実施の形態について詳述してきたが、具体的構成は、この実施の形態に限られるものではなく、本考案の要旨を逸脱しない範囲における設計の変更などがあっても考案に含まれる。
例えば、上記の実施の形態では、プラグ４５がコンセント（Ｃ）から抜かれると、自動的にバッテリー電源が入るようになっているが、スイッチの押下により入るようにしてもよい。
【符号の説明】
【００３３】
１…おしぼり運搬カート      ３…カート本体      ５…ベースプレート
７…側板柱      ９、１１…棚板      １３…天板
１５…ガイドプレート      １７…脱落防止ガード
１９…背面側取っ手バー      ２１…横側取っ手バー      ２３…カゴ
２５…キャスター      ２７…おしぼり収容庫      ２９…収容室
３１…扉      ３３…引手      ３５…ヒーター      ３７…（電源部の）筐体
３９…電源スイッチ      ４１…タイマー設定部      ４３…コード
４５…（コードの）プラグ      ４７…ケーブル      
４９…電源部      ５１…メイン電源ライン      ５３…サブ電源ライン
５５…バッテリー      ５７…充電器      ５９…ＤＣ／ＡＣコンバータ
６１…リレースイッチ      ６３…入り切りタイマー
６５…コントローラ      ６７…リレースイッチ      ６９…監視ライン
Ｆ…フック      Ｖ…ビニール袋      Ｂ…回収ボックス    Ｐ…個装袋
【図１】
0003188322.tif 000003
【図２】
0003188322.tif 000004
【図３】
0003188322.tif 000005
【図４】
0003188322.tif 000006
【図５】
0003188322.tif 000007